(57)【要約】【課題】  装飾の斬新性を出し、他機種との差別化を図ることが可能な遊技機用装飾装置及びそれを用いた遊技機を提供する。【解決手段】遊技機に取り付けられたときに遊技者側となる前方に向かって開口する有底のケース部材１０に文字や図形、記号等の所定の視覚情報の輪郭を模った窓部Ｗを形成するマスク板３１が固定配置されており、装飾用発光部４２がマスク板３１よりも開口側で発光して装飾するとともに、演出用発光部３２がマスク板３１によって形成された窓部Ｗを介してケース部材１０の開口から外部に向けて所定の視覚情報を照出することを特徴とする。【選択図】  図３
2009165536.tif 000002
【特許請求の範囲】
【請求項１】
遊技機の予め定められた場所に配置される遊技機用装飾装置であって、
前記遊技機に取り付けられる部材であり、その遊技機に取り付けられたときに遊技者側となる前方に向かって開口する有底のケース部材と、
前記ケース部材内部で開口を蓋うように固定配置され、文字や図形、記号等の所定の視覚情報の輪郭を模った窓部を形成するマスク板と、
前記ケース部材において前記マスク板よりも開口側に設けられる装飾用発光部と、
前記ケース部材内部で前記マスク板よりも底側に設けられ、前記窓部を介して前記ケース部材の開口から外部に向けて前記所定の視覚情報を照出する演出用発光部と、
を備えることを特徴とする遊技機用装飾装置。
【請求項２】
前記ケース部材には、前記マスク板よりも底側の内面に反射面が形成されるとともに、その反射面に向けて前記演出用発光部が発光するように設けられており、
前記演出用発光部が発光したとき、その光が前記反射面で反射され前記窓部を介して前記所定の視覚情報が前記ケース部材の開口から外部に向けて照出される請求項１に記載の遊技機用装飾装置。
【請求項３】
前記マスク板は、前記ケース部材の開口側となる主面に前記装飾用発光部を実装する配線基板とされている請求項１又は２に記載の遊技機用装飾装置。
【請求項４】
前記ケース部材に前記マスク板よりも開口側に固定配置されるレンズ部材と、
帯状形態をなしてその一方の側の主面に前記装飾用発光部を実装し、該装飾用発光部が前記レンズ部材側となるようにそのレンズ部材の周縁部に沿って保持されるフレキシブル基板と、を備え
前記レンズ部材は、前記装飾用発光部に照射されることにより発光する請求項１又は２に記載の遊技機用装飾装置。
【請求項５】
前記窓部は、複数の前記マスク板が組み合わされて形成されている請求項１ないし４のいずれか１項に記載の遊技機用装飾装置。
【請求項６】
光を透過する材料で構成され、前記ケース部材の開口を覆うようにそのケース部材に一体的に組み付けられるカバー部材を備え、
前記演出用発光部が発光したとき、その光によって前記所定の視覚情報がカバー部材を介して視認できる請求項１ないし５のいずれか１項に記載の遊技機用装飾装置。
【請求項７】
請求項１ないし６のいずれか１項に記載の遊技機用装飾装置を備えたことを特徴とする遊技機。
【発明の詳細な説明】
【技術分野】
【０００１】
本発明は、遊技機用装飾装置及びそれを備えた遊技機に関する。
【背景技術】
【０００２】
近年のパチンコ機（遊技機）において、遊技盤の前面側（遊技者側）に形成される遊技領域では、液晶表示器などの可変表示装置を用いてリーチ予告演出、リーチ演出、大当たり予告演出、大当たり演出等の演出表示を多様化させると共に、その可変表示装置の演出表示と併せて役物装置などに動きを与え、また発光させて、盤面全体でさらには遊技機全体で演出を行い、視覚的な興趣を高める工夫が提案されている。もちろん、発光ダイオードに代表される発光素材が昨今急速な進歩を遂げあらゆる産業分野に普及しつつあることも、遊技機における視覚的な演出効果の向上に寄与している。
【０００３】
【特許文献１】特許第３６１３５９８号公報
【０００４】
特許文献１の遊技機は、遊技盤の略中央部に液晶表示器などで構成される変動表示装置（可変表示装置）を備えたセンター役物を配置しており、そのセンター役物に装飾性の高い発光表現を行うための装飾装置が設けられている。この装飾装置は、発光手段（第２電気的発光手段）の発光態様に基づいて発色する複数の棒状発色部材を備えていて、その棒状発色部材の発光状態を様々に変化させることができるとともに、その棒状発色部材の発光色と、レンズ部材よりも後方に配置された別の発光手段（第１電気的発光手段）による発光色とを組み合わせて装飾効果の向上を図ったものである。
【発明の開示】
【発明が解決しようとする課題】
【０００５】
しかしながら、棒状発色部材を用いて、複数の発光手段を組み合わせることにより発光態様を多様化したとしても、色や点灯、点滅のパターンの選択肢が増えただけに過ぎず、装飾の斬新性を出すことや他機種との差別化が図られたとは言い難く、遊技者はすぐに見慣れてしまい、興趣が持続するものではない。
【０００６】
本発明の課題は、上記実情を鑑みてなされたものであり、装飾の斬新性を出し、他機種との差別化を図ることが可能な遊技機用装飾装置及びそれを用いた遊技機を提供することにある。
【課題を解決するための手段】
【０００７】
上記課題を解決するために、本発明の遊技機用装飾装置は、
遊技機の予め定められた場所に配置される遊技機用装飾装置であって、
遊技機に取り付けられる部材であり、その遊技機に取り付けられたときに遊技者側となる前方に向かって開口する有底のケース部材と、
ケース部材内部で開口を蓋うように固定配置され、文字や図形、記号等の所定の視覚情報の輪郭を模った窓部を形成するマスク板と、
ケース部材においてマスク板よりも開口側に設けられる装飾用発光部と、
ケース部材内部でマスク板よりも底側に設けられ、窓部を介してケース部材の開口から外部に向けて所定の視覚情報を照出する演出用発光部と、を備えることを特徴とする。
【０００８】
上記本発明によれば、ケース部材にマスク板が固定配置されており、装飾用発光部がマスク板よりも開口側で発光するとともに、演出用発光部がマスク板によって形成された窓部を介してケース部材の開口から外部に向けて所定の視覚情報を照出する。これによれば、所定の視覚情報（窓部の形状）によって、その装飾装置独自の発光態様が形成されるので、他機種との差別化を効果的に実施することが可能となる。また、窓部を遊技状態に関連する視覚情報を形成するようにして、その遊技状態となったときに併せて演出用発光部を発光させることで、一層の視覚的な興趣の向上を図ることができる。
【０００９】
そして、ケース部材には、マスク板よりも底側の内面に反射面が形成されるとともに、その反射面に向けて演出用発光部が発光するように設けられており、
演出用発光部が発光したとき、その光が反射面で反射され窓部を介して所定の視覚情報がケース部材の開口から外部に向けて照出するように構成することができる。これによれば、ケース部材のマスク板よりも底側の内面に形成された反射面を利用して、演出用発光部の光を反射光として窓部から照出するので、点発光などの光の強弱が入り混じった斑とならず、均一な面状に発光した所定の視覚情報として視認することが可能となる。また、反射面を利用するので、ケース部材内部における演出用発光部の配置の自由度も高くなる。
【００１０】
例えば、演出用発光部をマスク板のケース部材における底側の主面に実装して、ケース部材の底壁の内面に反射面を形成する構成とすることができる。すなわち、マスク板を演出用発光部が実装された配線基板とすることができる。その場合には、演出用発光部が実装された配線基板をマスク板として機能させることで、装飾装置の薄型化やコンパクト化を図ることができる。
【００１１】
また、マスク板を、ケース部材の開口側となる主面に装飾用発光部を実装する配線基板とする構成とすることができる。これによれば、装飾用発光部を実装する配線基板をマスク板として機能させることができるので、装飾装置の薄型化やコンパクト化を図ることができる。さらに、マスク板が一方の側の面（開口側面）に装飾用発光部、他方側の面（底側の面）に演出用発光部を実装する配線基板とした場合には、装飾装置を一層の薄型化やコンパクト化することができる。なお、装飾用発光部を実装する配線基板と、演出用発光部を実装する配線基板とを別々に設け、それらを絶縁シートなどを介して背中合わせに重ね合わせて固定配置してもよい。
【００１２】
なお、装飾用発光部として、例えば発光素子の光軸が基板表面と直交するトップビュータイプのものや、光軸が基板表面と平行のサイドビュータイプのものを適宜用いることで、多様の発光態様を形成することができ、遊技に対する興趣の一層の向上を図ることができる。
【００１３】
また、このような遊技機用装飾装置は、ケース部材にマスク板よりも開口側に固定配置されるレンズ部材と、
帯状形態をなしてその一方の側の主面に装飾用発光部を実装し、該装飾用発光部がレンズ部材側となるようにそのレンズ部材の周縁部に沿って保持されるフレキシブル基板と、を備え
レンズ部材は、装飾用発光部に照射されることにより発光する構成とすることができる。
【００１４】
これによれば、装飾用発光部がレンズ部材の周縁部に沿って保持されるフレキシブル基板に実装されているので、装飾用発光部がレンズ部材の周縁部に対応して配置されることとなり、効率よくレンズ部材を発光（例えば、全体的に発光）することができる。そして、装飾用発光部を、可撓性及び追従性に優れるフレキシブル基板に実装することで、ケース部材やレンズ部材の形状に柔軟に対応して配置することが可能となる。さらに、配置スペースにおける自由度が高くなり、レンズ部材の周縁部に装飾用発光部を無駄なくコンパクトに設けることができる。
【００１５】
なお、レンズ部材がケース部材においてマスク板よりも開口側に固定配置されているので、演出用発光部が発光して形成する所定の視覚情報をレンズ部材を介して視認することができる。したがって、装飾用発光部の発光態様と演出用発光部との発光態様とを組み合わせることで、演出の多様化を図ることができる。そして、演出用発光部において反射光を利用する場合には、演出用発光部とレンズ部材との距離を小さく設定しても、すなわち装飾装置を薄型化しても所定の視覚情報が斑なく（点発光とはならず）、均一な面状で発光させることができる。
【００１６】
また、窓部は、複数のマスク板を組み合わせて形成することができる。すなわち、マスク板を配線基板とすることで窓部は、複数の配線基板を組み合わせて形成することができる。これによれば、多種にわたる視覚情報を容易に形成することができるようになり、一層の他機種との差別化を実施するとともに、基板（マスク板）において窓部を形成するために削り取るなどの無駄な部分がなくなり、コスト低減に寄与する。
【００１７】
また、このような遊技機用装飾装置は、
光を透過する材料で構成され、ケース部材の開口を覆うようにそのケース部材に一体的に組み付けられるカバー部材を備え、
演出用発光部が発光したとき、その光によって所定の視覚情報がカバー部材を介して視認できるように構成することができる。
【００１８】
これによれば、カバー部材がレンズ部材を覆うようにケース部材に一体的に組み付けられているので、一つのユニットとして構成することができる。また、カバー部材にハーフミラー等の２次加工を施してケース部材の内部を視認できなくすることで、美観を損なうことなく視覚的な演出効果の向上を図ることができる。また、カバー部材によってレンズ部材が保護される。
【００１９】
上記課題を解決するために、本発明の遊技機は、
以上のような遊技機用装飾装置を備えたことを特徴とする。
【００２０】
これによれば、所定の視覚情報（窓部の形状）によって、その装飾装置独自の発光態様が形成されるので、他機種との差別化を効果的に実施することが可能な遊技機を実現することができる。
【発明の効果】
【００２１】
本発明によれば、簡単な構造で装飾装置独自の発光態様を形成することができるとともに、その装飾装置を搭載することで、遊技機における装飾の斬新性を出し、他機種との差別化を図ることができる。
【発明を実施するための最良の形態】
【００２２】
以下、本発明の実施形態を図面を参照して説明する。図１は本発明の実施形態に係る遊技機の一例を示す正面図、図２は本発明の実施形態に係る装飾装置の一例を示す平面図及び正面図、図３は図２の装飾装置を上から見た分解斜視図、図４は図２の装飾装置を下から見た分解斜視図、図５乃至図９は、図２のＡ−Ａ，Ｂ−Ｂ，Ｃ−Ｃ，Ｄ−Ｄ，Ｅ−Ｅ断面図、図１０は図２の装飾装置の使用状態を示す平面図である。
【００２３】
図１に示すように、パチンコ機（遊技機）１には、遊技盤２が設けられている。この遊技盤２の盤面２ａ（前面）には、円形の遊技領域２ｂが形成されており、この遊技領域２ｂは上側領域を除く外周縁に沿って円弧状のガイドレール２ｃが配置されている。そして、遊技領域２ｂの中央には、液晶表示部３や装飾装置４（遊技機用装飾装置）などを備えるセンター役物５が配置されており、その下方に始動入賞口６や大入賞口７が配置されている。
【００２４】
なお、本明細書において、遊技機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２５】
次に、装飾装置４について詳しく説明する。装飾装置４は、図１に示すように、パチンコ機１の予め定められた場所に配置される。本実施例においては、センター役物５の中央上部に配置されている。また、装飾装置４は、図２に示すように、平面視円形状のドーム状形態を呈している。そして、装飾装置４は、図３及び図４に示すように、センター役物５側（遊技機側）に取り付けられる部材であるケース部材１０と、そのケース部材１０に固定配置されるレンズ部材２０及び配線基板３０と、レンズ部材２０の周縁部で保持されるフレキシブル基板４０と、ケース部材１０の開口を覆うようにケース部材１０に一体的に組み付けられるカバー部材５０とを備えている。さらに、装飾装置４は、配線基板３０に対応して設けられる光拡散部材６０やフレキシブル基板４０を保持するための保持具７０などを備えている。
【００２６】
ケース部材１０は、図２ないし図４に示すように、円形状の底壁１１と、その底壁１１の周縁部から環状に立ち上がる周壁１２とを備えており、図示しない取付部によってパチンコ機１（センター役物５）に取り付けられたときに遊技者側となる前方に向かって開口するように形成されている。すなわち、周壁１２の上端が開口部１３として形成される。また、ケース部材１０の配線基板３０よりも底側の内面（例えば、底壁１１の内面１１ａ）は、一部又は全体が光を反射する反射面として形成されている。これにより、配線基板３０が備える演出用発光部３２が発光する光を反射して配線基板３０の窓部Ｗからレンズ部材２０に向かって照射することができる。なお、反射面は、底壁１１の内面１１ａに例えば蒸着、光沢塗装又はメッキなどを施して形成することができ、また、鏡面仕上げを施した金属材料の板、反射シートやシールなどを配置して形成することができる。
【００２７】
また、ケース部材１０の内部には、レンズ部材２０を固定するための第１固定部１４と配線基板３０を固定するための第２固定部１５とが所定場所にそれぞれ複数形成されている（図８及び図９参照）。具体的には、第１固定部１４は、底壁１１の内面１１ａの周縁部から所定間隔で複数（本実施例では４つ）周壁１２に沿って立ち上がるように形成されており、その上面からボス孔１４ａが形成されている。また、第２固定部１５は、底壁１１の内面１１ａの周縁部から周壁１２に沿って立ち上がるように形成されるものと、底壁１１の内面１１ａの中央部から立ち上がるものを含み形成されている。そして、第２固定部１５には、配線基板３０に形成される位置決め孔３３に嵌まり込んで配線基板３０を位置決めする位置決め凸部１５ａ（図３参照）が形成されている。なお、第１固定部１４と第２固定部１５とは、底壁１１から立ち上がる高さが異なり、配線基板３０とレンズ部材２０とが積層されるようにケース部材１０に固定配置されることとなる。
【００２８】
なお、ケース部材１０の外側には、後述するカバー部材５０を固定するための係合部１６や、内部に収容する配線基板３０やフレキシブル基板４０のリード線（図示せず）を引き出すための引き出し穴１７が形成されている。
【００２９】
次に、レンズ部材２０は、図３及び図４に示すように、光を透過する材料で構成され、ケース部材１０の開口を蓋うように固定配置される（図５及び図６参照）。具体的には、レンズ部材２０は、ケース部材１０の中側で中蓋のように収容される形で固定配置される。そして、レンズ部材２０の周縁部には、厚み方向に貫通する貫通孔２１ａを含み、ケース部材１０の第１固定部１４に対応して複数（本実施例においては４つ）の固定片２１が放射状に形成されている。したがって、レンズ部材２０は、固定片２１の貫通孔２１ａにビス８０を挿通して第１固定部１４のボス孔１４ａに締結されることでケース部材１０に固定される。
【００３０】
また、レンズ部材２０の周縁部には、固定片２１の間でケース部材１０の底壁１１側に垂れ下がるスカート部２２が形成されている。スカート部２２は、ケース部材１０の第２固定部１５に載置（固定配置）された配線基板３０の上方への移動を規制するものである。これにより、配線基板３０をビス８０などの締結部材を用いずに固定配置することが可能となる。なお、スカート部２２には、後述するフレキシブル基板４０の端部を係止する係止部２２ａが切り欠き形成されている。また、レンズ部材２０の表面は、光を拡散する表面加工を施すことが望ましい。表面加工としては、例えば梨地、しぼ地、エンボス地、ローレット、又はダイヤカットなどの表面加工を採用することができ、これらの中から１種又は複数を適宜組み合わせて、片面又は両面に加工を施すことができる。
【００３１】
配線基板３０は、複数（本実施例では、２つ）の板部材３１ａ，３１ｂ（以下、板部材３１とまとめていう）と、その板部材３１のケース部材１０における底壁１１側の主面に、パターン印刷された配線に接続される形で半田付けなどにより表面実装される発光ダイオード（ＬＥＤ）などの発光素子を有する演出用発光部３２とを含み構成されている。また、配線基板３０は、ケース部材１０にレンズ部材２０よりも底壁１１側で固定配置される。そして、配線基板３０（板部材３１）は、文字や図形、記号等の所定の視覚情報（本実施例では、アルファベットの「Ｎ」）の輪郭を模った窓部Ｗを形成し、演出用発光部３２が発光してケース部材１０の底壁１１の内面１１ａ（反射面）で反射した光を遮るマスク板として機能する。すなわち、所定の視覚情報の輪郭を模った窓部Ｗから演出用発光部３２の光が照出される。なお、窓部Ｗは、板部材３１に貫通する穴や、切り欠きなどによって形成してもよい。また、窓部Ｗは、本実施形態の如く板部材３１のみによって領域を閉鎖していないものも含む。また、板部材３１には、第２固定部１５の位置決め凸部１５ａが嵌まり込む位置決め孔３３や、第１固定部１４との干渉を回避するために切りかかれた位置決め凹部３４などが形成されている。
【００３２】
光拡散部材６０は、シート状をなし、配線基板３０に対応した形状で形成されている。また、光拡散部材６０は、透過する光を拡散し、その透過する光を均一に面発光する役割を担うとともに、配線基板３０の上に載置されて（換言すれば、レンズ部材２０の下に敷設されて）レンズ部材２０によって配線基板３０とともに固定（保持）される。
【００３３】
フレキシブル基板４０は、可撓性に富み、薄層で帯状形態をなすフレキシブル基板本体４１と、そのフレキシブル基板本体４１の一方の側の主面（内側の面）に、パターン印刷された配線に接続される形で半田付けなどにより表面実装される発光ダイオード（ＬＥＤ）などの発光素子を有する装飾用発光部４２とを含み構成されている。そして、フレキシブル基板４０は、レンズ部材２０の周縁部に沿って保持され、装飾用発光部４２がレンズ部材２０の周縁部に沿って配置される（図７参照）。したがって、装飾用発光部４２がレンズ部材２０を照射することで、レンズ部材２０を全体的に発光することができる。このとき、光拡散部材６０は、装飾用発光部４２の光を反射する反射シートとして機能する。
【００３４】
具体的には、フレキシブル基板本体４１は、複数（例えば、２つ）設けられ、それぞれに装飾用発光部４２が表面実装されており、レンズ部材２０の周縁部に沿って保持される。また、フレキシブル基板本体４１には、長手方向に所定間隔を隔てた位置に切り欠き形成された第１掛止部４１ａと、両端に切り欠き形成された第２掛止部４１ｂとが設けられており、この第１及び第２掛止部４１ａ，４１ｂを介してレンズ部材２０の周縁部で保持される。これにより、フレキシブル基板４０を簡単に画一的に位置決めして保持することができる。
【００３５】
ここで、保持具７０は、図３，４，７に示すように、レンズ部材２０の固定片２１（ケース部材１０の第１固定部１４）に対応して形成され、厚み方向に貫通する挿通孔７１ａを含む基部７１から並んで立ち上がり、フレキシブル基板４０を挟み込む形で保持する保持部７２を備えている。そして、保持具７０は、図７に示すように、レンズ部材２０とともにビス８０によって共締めされる。
【００３６】
したがって、フレキシブル基板４０は、フレキシブル基板本体４１の第１掛止部４１ａが保持具７０の保持部７２に掛けるように配置されるとともに、第２掛止部４１ｂがレンズ部材２０のスカート部２２における係止部２２ａに係止される。そして、後述するカバー部材５０の規制部５５が保持具７０の保持部７２の上端に当接することで、フレキシブル基板本体４１（フレキシブル基板４０）は、レンズ部材２０に対して周方向及び厚み方向に固定された状態となり、装飾用発光部４２が安定して配置される。
【００３７】
なお、本実施例では、装飾用発光部４２は、図５及び図６に示すように、レンズ部材２０の表面よりも開口部１３側に位置して配置されているが、フレキシブル基板本体４１の幅方向で実装位置を変更することで、適宜レンズ部材２０を側方から照射する位置を厚み方向で調整することが可能である。例えば、図５において仮想線で示した装飾用発光部４２´のように、レンズ部材２０の側面と対向するようにフレキシブル基板４０に実装した場合には、すなわち、装飾用発光部４２´の光軸がレンズ部材２０の板厚内となるように配置した場合には、装飾用発光部４２´が発光すると、その光がレンズ部材２０の側面から内に入り、レンズ部材２０が導光板として機能して、レンズ部材２０を均一に面発光させることができる。
【００３８】
次に、カバー部材５０は、平面視円形状のドーム状形態をなすカバー本体５１と、そのカバー本体５１の周縁部から環状に立ち上がる環状壁５２とを備えており、ケース部材１０に向かって開口するように形成されている。すなわち、環状壁５２の下縁が開口部５３として形成される。そして、開口部５３には、ケース部材１０の係合部１６に係合する係合爪部５４が延設されている。これにより、カバー部材５０は、ケース部材１０の開口を覆うようにケース部材１０に一体的に組み付けられる。また、環状壁５２の内側には、保持具７０の保持部７２の上端に当接して、フレキシブル基板４０の上方への移動を規制する規制部５５が形成されている。
【００３９】
なお、カバー部材５０は、カバー本体５１及び環状壁５２の内面又は外面に蒸着、塗装やメッキなどの加工が施されて形成されている。そして、カバー部材５０は、ケース部材１０の内部で演出用発光部３２及び装飾用発光部４２が発光していない状態では、カバー部材５０を介してケース部材１０の内部が視認できないように構成することが望ましい。これによれば、演出用発光部３２及び装飾用発光部４２が発光したときにその光がカバー部材５０に浮かび上がるように演出することが可能となる。すなわち、フレキシブル基板４０の装飾用発光部４２が発光したときは、レンズ部材２０を介してカバー部材５０が全体的に発光する一方、配線基板３０の演出用発光部３２が発光したときには、配線基板３０が形成する窓部Ｗによってレンズ部材２０を介してカバー部材５０に視覚情報が投影されて視認できるようになり（図１０参照）、視覚的な興趣を飛躍的に向上させることが可能となる。
【００４０】
次に、本実施例に係る遊技機用装飾装置４の組み立て方法の一例について簡単に説明する。図５ないし図９に示すように、まず、ケース部材１０を用意して、そのケース部材１０の内部に配線基板３０を配置する。具体的には、板部材３１に表面実装された演出用発光部３２が底壁１１に対向する向きで、板部材３１に形成された位置決め孔３３を第２固定部１５の位置決め凸部１５ａに嵌め込んで配置する（図９参照）。続いて、配線基板３０の上に光拡散部材６０を載置（敷設）する（図８参照）。そして、その光拡散部材６０の上にレンズ部材２０を配置して、固定片２１を保持具７０とともにケース部材１０の第１固定部１４にビス８０を介して固定する（図７参照）。このとき、レンズ部材２０のスカート部２２の下端が光拡散部材６０越しに配線基板３０を押圧するように設定されているので、レンズ部材２０をビス８０によって固定するだけで配線基板３０及び光拡散部材６０をケース部材１０内部で固定することができる。
【００４１】
そして、フレキシブル基板４０をレンズ部材２０の周縁に沿って湾曲させるとともに、装飾用発光部４２が内側に位置する形で、保持具７０の保持部７２に第１掛止部４１ａ（図４参照）を掛け止め、かつ、レンズ部材２０のスカート部２２における係止部２２ａに第２掛止部４１ｂ（図４参照）を掛け止めるようにして、フレキシブル基板４０をレンズ部材２０の周縁部に沿って配置する（図７参照）。すなわち、装飾用発光部４２をレンズ部材２０の周縁部に沿って配置する。最後に、カバー部材５０の係合爪部５４をケース部材１０の係合部１６に係合して、カバー部材５０をケース部材１０に一体的に固定して装飾装置４が完成する。
【００４２】
これによれば、配線基板３０が形成する窓部Ｗの形状によって、簡単に装飾装置４独自の発光態様を形成することができるとともに、装飾装置４をケース部材１０の図示しない取付部を介してセンター役物５（遊技機１；図１参照）の所定場所に取り付けることで、遊技機１における装飾の斬新性を出し、他機種との差別化を図ることができる。
【００４３】
なお、上記実施形態では、フレキシブル基板４０を保持具７０などによってレンズ部材２０の周縁部に沿って保持したが、これに限らず、保持具７０をレンズ部材２０に一体的に形成してもよい。また、フレキシブル基板本体４１の装飾用発光部４２とは反対側の面に両面テープ等を用いて直接ケース部材１０の周壁１２の内面に貼り付けて固定してもよい。
【００４４】
また、フレキシブル基板４０に代えて、装飾用発光部４２を１つ表面実装した小片の配線基板をレンズ部材２０の周縁部に沿って所定間隔隔てて複数配置する構成としてもよい。
【００４５】
次に上記実施形態の第１の変形例について説明する。図１１は第１変形例に係る装飾装置の主要部を示す平面図，正面図，斜視図及びＦ−Ｆ断面図、図１２はフレキシブル基板と補強具との関係を示す図である。以下の説明では、上述した実施形態と異なる部分について主に述べ、重複する部分については同番号を付して説明を省略又は簡略化する。
【００４６】
装飾装置４Ａは、図１１に示すように、上記実施形態のレンズ部材２０におけるスカート部２２が省略されたレンズ部材２０Ａを備えており、光拡散部材６０及び配線基板３０がレンズ部材２０Ａ全体で固定（押圧）されている。これによれば、レンズ部材２０Ａにスカート部２２が形成されていないので、装飾装置４Ａを薄型に形成することができる。また、レンズ部材２０Ａと光拡散部材６０（配線基板３０）との当接する面積が大きくなるため、シート状の光拡散部材６０にしわやずれなどが発生しなくなり、安定性や品質が向上する。
【００４７】
また、装飾装置４Ａは、図１１及び図１２に示すように、上記実施形態のフレキシブル基板４０の第２掛止部４１ｂが省略されたフレキシブル基板４０Ａに対応する補強具９０を備えている。補強具９０は、フレキシブル基板４０Ａに対応して複数（例えば、２つ）設けられ、樹脂材料、金属材料またはセラミック材料などにより円弧状に湾曲形成されている。また、補強具９０には、装飾用発光部４２を内側に露出するための露出孔９１と、フレキシブル基板本体４１の第１掛止部４１ａに対応する掛止凹部９２とが形成されている。
【００４８】
これによれば、予めフレキシブル基板４０Ａを補強具９０に一体的に組み付けることで、可撓性に優れるフレキシブル基板４０Ａが補強具９０に固定された状態となり、フレキシブル基板４０Ａをレンズ部材２０Ａの周縁部に簡単に配置することが可能となる。そして、装飾用発光部４２が露出孔９１に入り込む形で固定されるので、装飾用発光部４２自身が位置決め機能として働く。なお、フレキシブル基板４０Ａと補強具９０との組み付け方法については特に限定するものではないが、両面テープによって貼り付け固定してもよいし、補強具９０に係止爪などを設けて固定してもよい。また、弾力性を有する補強具９０を使用する場合には、その弾力性によりフレキシブル基板４０Ａをケース部材１０の周壁１２の内面に押し付ける形態で保持するようにしてもよい。
【００４９】
次に上記実施形態の第２の変形例について説明する。図１３は第２変形例に係る装飾装置の主要部を示す平面図，正面図，斜視図である。装飾装置４Ｂは、第１変形例と同様にスカート部２２が省略されたレンズ部材２０Ａを備えている。また、装飾装置４Ｂは、レンズ部材２０Ａの周縁部に沿うようにケース部材１０の開口側の主面に装飾用発光部４２Ｂを表面実装する配線基板３０Ｂを備えている。すなわち、配線基板３０Ｂは、ケース部材１０の開口側の主面に装飾用発光部４２Ｂ、底壁側の主面に演出用発光部３２を備えている。
【００５０】
ここで、装飾用発光部４２Ｂは、配線基板３０Ｂの主面と発光素子の光軸が平行なサイドビュータイプのものが用いられる。これによれば、装飾用発光部４２Ｂをレンズ部材２０Ａの周縁部に沿って簡単に配置できるとともに、装飾用発光部４２Ｂがレンズ部材２０Ａの側面と対向するので、レンズ部材２０Ａが導光板として機能し、装飾用発光部４２Ｂが発光すると、その光は側面から内に入り、レンズ部材２０Ａ全体を均一に面発光する。なお、配線基板３０Ｂの上に載置される光拡散部材６０Ｂは、装飾用発光部４２Ｂとの干渉を回避するためにレンズ部材２０Ａに対応して形成されている。
【００５１】
次に、別の第１実施形態に係る装飾装置について説明する。図１４は別の第１実施形態に係る装飾装置を上から見た分解斜視図、図１５は別の第１実施形態に係る装飾装置を下から見た分解斜視図、図１６は図５に対応する別の第１実施形態に係る装飾装置の断面図、図１７は図６に対応する別の第１実施形態に係る装飾装置の断面図である。
【００５２】
装飾装置４Ｃは、図１４ないし図１７に示すように、レンズ部材２０Ｃの周縁部に沿うようにケース部材１０の開口側の主面に装飾用発光部４２Ｃを表面実装する配線基板３０Ｃを備えている。すなわち、配線基板３０Ｃは、ケース部材１０の開口側の主面に装飾用発光部４２Ｃ、底側の主面に演出用発光部３２を備えている。また、配線基板３０Ｃは、位置決め凹部３４が形成されておらず、第１固定部１４に位置決め孔３３を介してビス８０によって固定されている。
【００５３】
また、装飾装置４Ｃは、配線基板３０Ｃの上に載置されるレンズ部材２０Ｃを備えている。このレンズ部材２０Ｃには、平板状（円盤状）のレンズ本体部２８の周縁部から配線基板３０Ｃ（装飾用発光部４２Ｃ）に向かって延設される延設部２９が設けられている。そして、その延設部２９には、装飾用発光部４２Ｃを収容する収容部２９ａが形成されている。これにより、レンズ部材２０Ｃは導光板として機能し、装飾用発光部４２Ｃが発光すると、その光は延設部２９の収容部２９ａから内に入り、レンズ本体部２８へと導かれ全体を均一に面発光する。なお、装飾用発光部４２Ｃは、配線基板３０Ｃの主面と発光素子の光軸が直交するトップビュータイプのものが用いられる。
【００５４】
ここで、装飾装置４Ｃは、装飾用発光部４２Ｃが発光する光をレンズ部材２０Ｃのレンズ本体部２８へと効率よく導光するために、レンズ部材２０Ｃの延設部２９を内側から被う内側リフレクタ１００と、その延設部２９を外側から被う外側リフレクタ１１０とを備えている。これら内側リフレクタ１００及び外側リフレクタ１１０は、例えば不透明な樹脂材料で形成され、装飾用発光部４２Ｃから導かれる光が側方に洩れることを防止する。
【００５５】
なお、内側リフレクタ１００は、配線基板３０Ｃに対応して複数の部材によって構成され、それぞれにおいて内部が中空に形成されるとともに、窓部Ｗに対応する反射壁１０１を形成している。したがって、内側リフレクタ１００には、取付部１０２が設けられ、窓部Ｗを閉鎖しないように配線基板３０Ｃと一体的にビス８０を介してケース部材１０に固定される。
【００５６】
また、外側リフレクタ１１０は、リング状をなして、レンズ本体部２８（レンズ部材２０Ｃ）を露出する表示窓１１１を備えている。また、外側リフレクタ１１０は、カバー部材５０がケース部材１０に一体的に取り付けられると、カバー部材５０の規制部５５によってレンズ部材２０Ｃを押し付けるようにして固定される。これによれば、両主面に発光部を表面実装した配線基板３０Ｃを使用することで、装飾装置４Ｃが一層の薄型化及びコンパクト化することができる。
【００５７】
次に、別の第２実施形態に係る装飾装置について説明する。図１８は図５に対応する別の第２実施形態に係る装飾装置の断面図である。装飾装置４Ｄは、ケース部材１０内部でマスク板としての板部材３１よりも底側に演出用発光部３２Ｄを表面実装する配線基板３０Ｄを備えている。これによれば、板部材３１が形成する窓部Ｗを介して直接的に、ケース部材１０の開口から外部に向けて所定の視覚情報を照出することが可能となる。
【００５８】
なお、演出用発光部の配置方法としては、装飾用発光部と同様にフレキシブル基板の一方の側の主面に演出用発光部を実装して、そのフレキシブル基板をケース部材の周壁の内面に沿って配置してもよいし、幅広のフレキシブル基板を用いて板部材を挟んでケース部材の底側に演出用発光部及び開口側に装飾用発光部が位置するように実装したものを用いてもよい。このように、演出用発光部の配置位置とともに反射面の位置や向きを設定することにより、様々な窓部の形状に対応することが可能となる。
【００５９】
そして、本発明では遊技機の一例としてパチンコ機について説明したが、他に例えばアレンジボール遊技機、雀球遊技機、回胴式遊技機等の装飾装置が設けられる他の遊技機に適用することができる。
【図面の簡単な説明】
【００６０】
【図１】本発明の実施形態に係る遊技機の一例を示す正面図。
【図２】本発明の実施形態に係る装飾装置の一例を示す平面図及び正面図。
【図３】図２の装飾装置を上から見た分解斜視図。
【図４】図２の装飾装置を下から見た分解斜視図。
【図５】図２のＡ−Ａ断面図。
【図６】図２のＢ−Ｂ断面図。
【図７】図２のＣ−Ｃ断面図。
【図８】図２のＤ−Ｄ断面図。
【図９】図２のＥ−Ｅ断面図。
【図１０】図２の装飾装置の使用状態を示す平面図。
【図１１】第１変形例に係る装飾装置の主要部を示す平面図，正面図，斜視図及びＦ−Ｆ断面図。
【図１２】フレキシブル基板と補強具との関係を示す図。
【図１３】第２変形例に係る装飾装置の主要部を示す平面図，正面図及び斜視図。
【図１４】別の第１実施形態に係る装飾装置を上から見た分解斜視図。
【図１５】別の第１実施形態に係る装飾装置を下から見た分解斜視図。
【図１６】図５に対応する別の第１実施形態に係る装飾装置の断面図。
【図１７】図６に対応する別の第１実施形態に係る装飾装置の断面図。
【図１８】図５に対応する別の第２実施形態に係る装飾装置の断面図。
【符号の説明】
【００６１】
１  パチンコ機（遊技機）
２  遊技盤
２ａ  盤面
２ｂ  遊技領域
２ｃ  ガイドレール
３  液晶表示部
４，４Ａ，４Ｂ，４Ｃ，４Ｄ  装飾装置（遊技機用装飾装置）
５  センター役物
６  始動入賞口
７  大入賞口
１０  ケース部材
１１  底壁
１１ａ  内面
１２  周壁
１３  開口部
１４  第１固定部
１４ａ  ボス孔
１５  第２固定部
１５ａ  位置決め凸部
１６  係合部
１７  引き出し穴
２０，２０Ａ，２０Ｂ，２０Ｃ  レンズ部材
２１  固定片
２１ａ  貫通孔
２２  スカート部
２２ａ  係止部
３０，３０Ａ，３０Ｂ，３０Ｃ，３０Ｄ  配線基板（マスク板）
３１  板部材（マスク板）
３２，３２Ｄ  演出用発光部
３３  位置決め孔
３４  位置決め凹部
４０，４０Ａ  フレキシブル基板
４１  フレキシブル基板本体
４１ａ  第１掛止部
４１ｂ  第２掛止部
４２，４２Ｂ，４２Ｃ  装飾用発光部
５０  カバー部材
５１  カバー本体
５２  環状壁
５３  開口部
５４  係合爪部
５５  規制部
６０，６０Ｂ  光拡散部材
７０  保持具
７１  基部
７１ａ  挿通孔
７２  保持部
８０  ビス
Ｗ  窓部
【図１】
2009165536.tif 000003
【図２】
2009165536.tif 000004
【図３】
2009165536.tif 000005
【図４】
2009165536.tif 000006
【図５】
2009165536.tif 000007
【図６】
2009165536.tif 000008
【図７】
2009165536.tif 000009
【図８】
2009165536.tif 000010
【図９】
2009165536.tif 000011
【図１０】
2009165536.tif 000012
【図１１】
2009165536.tif 000013
【図１２】
2009165536.tif 000014
【図１３】
2009165536.tif 000015
【図１４】
2009165536.tif 000016
【図１５】
2009165536.tif 000017
【図１６】
2009165536.tif 000018
【図１７】
2009165536.tif 000019
【図１８】
2009165536.tif 000020